(57)【特許請求の範囲】
【請求項１】
設定手段からのスタート信号でエア充填を開始するエア充填装置において、先端に充填ノズルを有する管路の途中に圧力計を、また、この圧力計の上流側に電磁弁を設け、さらに、電磁弁の切り替え側の一方を、巻きぐせを付けた密閉可撓性チューブ体である空気圧で伸縮するアンテナ体の先端に表示盤を設けた注意表示手段と連通させ、他の一方を大気開放とし、
マイコン等の制御手段、この制御手段に対するスイッチ入力、テンキー等のキー入力やソフト入力等の設定手段、比較手段、はスピーカー、ブザー、ランプ等の報知器、メモリを設け、
設定手段からのスタート信号が制御手段に発せられ、制御手段からの指令信号で圧力設定弁を開いて充填ノズルからエアを吐出可能な状態となり、この状態で充填ノズルを開けばエア充填が開始され、
同時に前記制御手段からの指令信号で前記電磁弁が開いて注意表示手段を管路と連通させ、空気が密閉可撓性チューブ体内に送られてこれが伸長し、
設定手段での設定入力は制御手段に入り、さらにこれは設定値としてメモリに記憶され、前記エア充填が開始されると圧力計からの計測信号が比較手段に導入され、この比較手段には制御手段がメモリから引き出した前記設定手段での設定値も導入され、
比較手段で計測値と設定値が比較され、計測値が設定値に達した場合には制御手段の作用により報知器でその旨が音や光で報知され、また、制御手段からの終了信号をもとに圧力設定弁が閉じられ、エア充填が停止され、同時に電磁弁が切り替わり、前記注意表示手段である密閉可撓性チューブ体が大気と連通され、内部の空気が流出してこれが自動的に縮小して巻き取られた状態に戻ることを特徴としたエア充填装置。
【発明の詳細な説明】
【０００１】
【発明の属する技術分野】
本発明は、ガソリン給油所等で使用するエア充填装置に関するものである。
【０００２】
【従来の技術】
従来、ガソリン給油所では、給油中のサービスとして窓拭きにおける水滴の吹き飛ばしやタイヤのエア充填としてエア充填装置が使用される。
【０００３】
このエア充填装置は、人の手で持って可搬できるような大きさのものであり、いわゆる小型のコンプレッサとしてポンプモータ等を組込んでいる。ポンプモータには先端に充填ノズルを有する管路（ホース）が接続される。
【０００４】
【発明が解決しようとする課題】
しかしエア充填装置は小型で、地面等に置いた場合は高さの低いものなので、エア充填作業は低姿勢で行わざるを得ない。その結果、作業している車の陰になり、給油所から退出する車等に対して死角となるので、作業員またはエア充填装置自体が車に接触する等の危険がある。
【０００５】
本発明の目的は前記従来例の不都合を解消し、作業中であることを知らせることができるので安全性が高く、しかも、複雑な安全装置として駆動機構を別途設けずとも済むエア充填装置を提供することにある。
【０００６】
【課題を解決するための手段】
本発明は前記目的を達成するため、設定手段からのスタート信号でエア充填を開始するエア充填装置において、先端に充填ノズルを有する管路の途中に圧力計を、また、この圧力計の上流側に電磁弁を設け、さらに、電磁弁の切り替え側の一方を、巻きぐせを付けた密閉可撓性チューブ体である空気圧で伸縮するアンテナ体の先端に表示盤を設けた注意表示手段と連通させ、他の一方を大気開放とし、マイコン等の制御手段、この制御手段に対するスイッチ入力、テンキー等のキー入力やソフト入力等の設定手段、比較手段、スピーカー、ブザー、ランプ等の報知器、メモリを設け、設定手段からのスタート信号が制御手段に発せられ、制御手段からの指令信号で圧力設定弁を開いて充填ノズルからエアを吐出可能な状態となり、この状態で充填ノズルを開けばエア充填が開始され、同時に前記制御手段からの指令信号で前記電磁弁が開いて注意表示手段を管路と連通させ、空気が密閉可撓性チューブ体内に送られてこれが伸長し、設定手段での設定入力は制御手段に入り、さらにこれは設定値としてメモリに記憶され、前記エア充填が開始されると圧力計からの計測信号が比較手段に導入され、この比較手段には制御手段がメモリから引き出した前記設定手段での設定値も導入され、比較手段で計測値と設定値が比較され、計測値が設定値に達した場合には制御手段の作用により報知器でその旨が音や光で報知され、また、制御手段からの終了信号をもとに圧力設定弁が閉じられ、エア充填が停止され、同時に電磁弁が切り替わり、前記注意表示手段である密閉可撓性チューブ体が大気と連通され、内部の空気が流出してこれが自動的に縮小して巻き取られた状態に戻ることを要旨とするものである。
【０００７】
請求項１記載の本発明によれば、設定手段からのスタート信号でエア充填を開始すると同時に電磁弁が管路を注意表示手段と連通させ、表示手段が空気圧で機能してエア充填作業中であることを注意表示するので、作業状態が見え難い状態であっても注意を喚起できる。また、一定圧力を充填し終えて圧力計からの終了信号が発せられた場合は注意表示手段を大気と連通させて注意表示手段に対する空気圧の機能停止とすれば、注意表示手段は注意表示を停止する。また、注意表示手段は空気圧で機能するので別途駆動源を必要とせずにすむ。
【０００８】
また、前記作用に加えて、注意表示手段は空気圧で伸縮するアンテナ体とすることで、注意喚起を一定の高さで運転者等の視覚に確実に訴えることができ、容易に作業表示を行えるとともに、終了で自動的に収納されるので作業性がよい。
【０００９】
さらに、空気圧で伸縮するアンテナ体は、巻きぐせを付けた密閉可撓性チューブ体であるので、車等がこれに接触しても作業員及び車への損傷はほとんど心配ない。
【００１０】
【発明の実施の形態】
以下、本発明の実施の形態を図面に基づいて詳細に説明する。図１、図２は本発明のエア充填装置の１実施形態として、注意表示手段の作動前の状態と作動中の状態を示す側面図で、図中１はポンプモータ等のエア源９を組込んだエア充填装置本体を示す。
【００１１】
エア充填装置本体１には先端に充填ノズル２を有する管路３としての管およびホースをエア源９に接続している。
【００１２】
図３は本発明のエア充填装置のブロック回路図、図４は操作盤の正面図で、図３中４はマイコン等の制御手段、５は制御手段４に対するスイッチ入力、テンキー等のキー入力やソフト入力等の設定手段、６は比較手段、７はスピーカー、ブザー、ランプ等の報知器、８はメモリである。
【００１３】
エア源９と充填ノズル２間の管路３にはエア源９からの高圧エアを所定値まで落とす圧力設定弁１０と圧力計１１とを設けている。圧力設定弁１０には制御手段４からの設定信号が導入される。このようにしてエア充填装置は設定手段５からのスタート信号でエア充填を開始する。
【００１４】
本発明は圧力計１１の上流側に三方切替え電磁弁１２を設け、この三方切替え電磁弁１２の切り替え側の一方に空気圧で機能する注意表示手段１３を接続してこれと連通させ、他の一方を大気開放として、大気に連通させた。
【００１５】
注意表示手段１３として種々のものが考えられるが、一例として図１、２に示すように、空気圧で伸縮するアンテナ体であり、本実施形態ではワイヤー等を添設して巻きぐせを付けた密閉可撓性チューブ体１４によるものとした。図示の例では先端に表示盤１４ａを設けている。
【００１６】
次に使用法について説明する。まず、設定手段５からのスタート信号が制御手段４に発せられ、制御手段４からの指令信号で圧力設定弁１０を開いて充填ノズル２からエアを吐出可能な状態となる。この状態で充填ノズル２を開けばエア充填が開始される。
【００１７】
同時に制御手段４からの指令信号で三方切替え電磁弁１２が開いて注意表示手段１３を管路３と連通させ、多少の空気が密閉可撓性チューブ体１４内に送られてこれが伸長する。（図２参照）
【００１８】
設定手段５での圧力設定弁１０の設定値は、例えば、大型車では０．２５Ｎ／ｃｍ２、普通車では０．２２Ｎ／ｃｍ２、小型車では０．２０Ｎ／ｃｍ２とし、高速釦押圧で１０％増しとした。
【００１９】
設定手段５での設定入力は制御手段４に入り、さらにこれは設定値としてメモリ８に記憶される。
【００２０】
前記エア充填が開始されると圧力計１１からの計測信号が比較手段６に導入され、この比較手段６には制御手段４がメモリ８から引き出した前記設定手段５での設定値も導入され、比較手段６で計測値と設定値が比較され、計測値が設定値に達した場合には制御手段４の作用により報知器７でその旨が音や光で報知される。また、制御手段４からの終了信号をもとに圧力設定弁１０が閉じられる。
【００２１】
これでエア充填が停止されるが、同時に三方切替え電磁弁１２が切り替わり、前記注意表示手段１３である密閉可撓性チューブ体１４が大気と連通され、内部の空気が流出してこれが自動的に縮小して巻き取られた状態に戻る。
【００２２】
【発明の効果】
以上述べたように本発明のエア充填装置は、作業中であることを知らせることができるので見え難い場所でも注意が喚起できて安全性が高く、しかも、複雑な安全装置として駆動機構を別途設けずとも済むものである。
【図面の簡単な説明】
【図１】  本発明のエア充填装置の１実施形態として注意表示手段の作動前の状態を示す側面図である。
【図２】  本発明のエア充填装置の１実施形態として注意表示手段の作動中の状態を示す側面図である。
【図３】  本発明のエア充填装置の１実施形態を示すブロック回路図である。
【図４】  本発明のエア充填装置の１実施形態を示す操作盤の正面図である。
【符号の説明】
１…エア充填装置本体                  ２…充填ノズル
３…管路                              ４…制御手段
５…設定手段                          ６…比較手段
７…報知器                            ８…メモリ
９…エア源                            １０…圧力設定弁
１１…圧力計                          １２…三方切替え電磁弁
１３…注意表示手段                    １４…密閉可撓性チューブ体
１４ａ…表示盤
【図１】
0003985501.tif 000002
【図２】
0003985501.tif 000003
【図３】
0003985501.tif 000004
【図４】
0003985501.tif 000005